(57)【要約】【課題】蓋の開閉を容易にすると共に、蓋の閉め忘れを防止することができるシート体収容容器を提供すること。【解決手段】シート体ＵＴを収容できる収容空間Ｓ１を内側に有するシート収容部４５を備えた箱体であって、シート収容部４５からシート体ＵＴを取り出すために、箱体の内側に形成された内側取出口３３と、内側取出口３３から取出されたシート体ＵＴを、箱体内の介在空間Ｓ２を介して外部に引き抜くために、箱体の外壁に形成された外側取出口３５と、外側取出口３５を封止する蓋体２６と、を備え、蓋体２６は、弾性部材３７が接続され、弾性部材３７の付勢力により外側取出口３５を押さえて封止すると共に、付勢力に抗して介在空間Ｓ２内に挿入可能であり、内側取出口３３は、介在空間Ｓ２の横に配置されて、介在空間Ｓ２に臨んで開口しており、かつ、蓋体２６を介在空間Ｓ２内に挿入することで外部と連通されることを特徴とする。【選択図】図５
2019085139.tif 000002
【特許請求の範囲】
【請求項１】
シート体を収容できる収容空間を内側に有するシート収容部を備えた箱体であって、
前記シート収容部から前記シート体を取り出すために、前記箱体の内側に形成された内側取出口と、
前記内側取出口から取り出された前記シート体を、前記箱体内の介在空間を介して外部に引き抜くために、前記箱体の外壁に形成された外側取出口と、
前記外側取出口を封止する蓋体と、
を備え、
前記蓋体は、弾性部材が接続され、前記弾性部材の付勢力により前記外側取出口を下から押さえて封止すると共に、前記付勢力に抗して前記介在空間内に挿入可能であり、
前記内側取出口は、前記介在空間の横に配置されて、前記介在空間に臨んで開口しており、かつ、前記蓋体を前記介在空間内に挿入することで外部と連通される
ことを特徴とするシート体収容容器。
【請求項２】
前記弾性部材は、一端部が前記蓋体に接続され、他端部が前記箱体の内側底面以外の領域に接続されることで、垂直方向に対して傾斜して、或いは水平に配置されていることを特徴とする請求項１に記載のシート体収容容器。
【請求項３】
前記蓋体は、前記シート収容部の上面の位置に比べて、低く配置されていることを特徴とする請求項１又は２に記載のシート体収容容器。
【請求項４】
前記蓋体は、前記外側取出口を封止している状態において、前記外側取出口の周囲に対して前記弾性部材の前記付勢力により押し付ける上面と、前記上面から前記外側取出口の形状に対応するように突出して、前記外側取出口の内側に挿入される凸部と、を有する
ことを特徴とする請求項１乃至３のいずれかに記載のシート体収容容器。
【請求項５】
前記蓋体の裏側には、前記外側取出口から取り出す際の前記シート体に引っ掛かる引掛け部が設けられていることを特徴とする請求項１乃至４のいずれかに記載のシート体収容容器。
【請求項６】
前記収容空間内には、前記収容空間に前記シート体が収納された状態において、前記シート体を前記内側取出口に向けて押圧する押圧部材が設けられていることを特徴とする請求項１乃至５のいずれかに記載のシート体収容容器。
【請求項７】
前記介在空間内には、薬液を収容した噴霧装置が配置されており、
前記噴霧装置は、前記介在空間内に挿入された前記蓋体に押圧されたことを契機として、前記薬液を噴霧するようになっている
ことを特徴とする請求項１乃至６のいずれかに記載のシート体収容容器。
【発明の詳細な説明】
【技術分野】
【０００１】
本発明はウエットシート等を収容するシート体収容容器に関する。
【背景技術】
【０００２】
乾燥したティッシュやウエットタイプのティッシュ、或いはウエットナプキン等のシート体は、衛生性を維持したり乾燥を防いだりすると共に、使用の便宜のため、シート体収容容器に収容して用いられている。
特許文献１は、このシート体収容容器の従来例であり、その図３及び図４に示されるように、折り畳まれた多数のウエットティッシュを収容してなる収容袋２０を収容する本体部１００を備えている。収容袋２０は、ウエットティッシュを取出すための取出口２２を有し、この取出口２２は使用前は貼付されたシールで塞がれている。
【０００３】
本体部１００は、その上部に、ウエットティッシュを取り出すための開口部１１２と、この開口部１１２を覆う蓋部１２０とを有している。これにより、使用者は収容袋２０のシールを剥がした後、その取出口２２と本体部１００の開口部１１２とが対向するように収容袋２０を寝かせて本体部１００内に収容し、そして、使用する際は蓋部１２０を開けて、収容袋２０の取出口２２、及び本体部１００の開口部１１２を通じて、ウエットティッシュを引き抜くことができる。また、シールを剥がした後であっても、蓋部１２０で開口部１１２を閉じれば、ウエットティッシュの薬液の蒸発を防止できる。
【０００４】
また、蓋部１２０は開口方向に弾性片１２２で付勢されており、蓋部１２０を押すことで本体側の係止部１１４と蓋側の係止部１２１ａとが係止し、バネの付勢力に抗して閉蓋状態にできる。そして、操作片１３１を押すことで、本体側の係止部１１４と蓋側の係止部１２１ａとの係止が解除され、弾性片１２２の付勢力で蓋部１２０が跳ね上がって開蓋状態にできる。このように、使用者は、操作片１３１を押圧して蓋部１２０を開けてからウエットティッシュを引き抜き、使用後は蓋部１２０を手で押圧して、本体側の係止部１１４と蓋側の係止部１２１ａとを係止させて閉蓋状態を維持させている。
【先行技術文献】
【特許文献】
【０００５】
【特許文献１】特開２００６−３４０９１５号公報
【発明の概要】
【発明が解決しようとする課題】
【０００６】
しかし、操作片１３１及び蓋部１２０の押圧により蓋部１２０の開閉が可能であっても、蓋部１２０の開閉操作が厄介な場合も少なくはない。例えば、漏らした糞尿やこぼした飲料を急いで拭く際に、片手が塞がっていたり、夜中の暗い環境下で操作したりする必要があり、このような場合は、未だに蓋部１２０の開け閉めが厄介である。また、蓋部１２０を閉め忘れることもあり、そうすると、ウエットティッシュであれば薬液が蒸発してウエットティッシュの乾燥を招き、ドライタイプのティッシュの場合もティッシュに埃等が付着して不衛生である。
本発明は、このような課題を解決するものであり、蓋の開閉を容易にすると共に、蓋の閉め忘れを防止することができるシート体収容容器を提供することを目的とする。
【課題を解決するための手段】
【０００７】
上記課題は、本発明によれば、シート体を収容できる収容空間を内側に有するシート収容部を備えた箱体であって、前記シート収容部から前記シート体を取り出すために、前記箱体の内側に形成された内側取出口と、前記内側取出口から取り出された前記シート体を、前記箱体内の介在空間を介して外部に引き抜くために、前記箱体の外壁に形成された外側取出口と、前記外側取出口を封止する蓋体と、を備え、前記蓋体は、弾性部材が接続され、この弾性部材の付勢力により前記外側取出口を下から押さえて封止すると共に、前記付勢力に抗して前記介在空間内に挿入可能であり、前記内側取出口は、前記介在空間の横に配置されて前記介在空間に臨んで開口しており、かつ、前記蓋体を前記介在空間内に挿入することで外部と連通されるシート体収容容器により解決される。
【０００８】
本発明のシート体収容容器によれば、シート体を収容できる収容空間を内側に有するシート収容部を備えた箱体であって、シート収容部の収容空間からシート体を取り出すために、箱体の内側に形成された内側取出口と、この内側取出口から取出されたシート体を、介在空間を介して外部に引き抜くために、箱体の外壁に形成された外側取出口とを備えている。このため、収容空間内のシート体は、内側取出口、介在空間、外側取出口を通って、外部に引き抜くことができる。
そして、このシート体収容容器は、外側取出口を封止する蓋体を有するため、不使用の際は、蓋体を閉めて箱体内を封止し、シート体に含浸された液体の蒸発や埃の付着等を防止できる。
ここで、蓋体は、弾性部材が接続され、この弾性部材の付勢力により外側取出口を下から押さえて封止すると共に、付勢力に抗して介在空間内に挿入可能である。このため、該付勢力に抗して蓋体を上から介在空間側に手で押せば、操作部を押す必要もなく開蓋状態となり、そして、蓋体を押している手を離すだけで、弾性部材の付勢力で閉蓋状態とすることができる。
そして、内側取出口は、介在空間の横に配置されて介在空間に臨んで開口しており、かつ、蓋体を介在空間内に挿入することで、外部と連通するようになっている。従って、使用者は、蓋体を上から介在空間側に押して内側取出口を露出させ、内側取出口から出ている或いは露出しているシート体を摘んで、そのままシート体を外側取出口から引き抜ける。そして、シート体を引き抜けば、手が蓋体から離れるため、弾性部材の付勢力だけで蓋体は外側取出口を封止するように元に戻る。このように使用者は、蓋体を開けるために操作部を押す必要もなく、単に介在空間内に手を挿入してシート体を引き抜く感覚でシート体を取れるし、取った後は自動で閉蓋状態になるので蓋の閉め忘れがなくなり、シート体に含浸された液体の蒸発や埃の付着等を防止できる。
【０００９】
また、好ましくは、前記弾性部材は、一端部が前記蓋体に接続され、他端部が前記箱体の内側底面以外の領域に接続されることで、垂直方向に対して傾斜して、或いは水平に配置されていることを特徴とする。従って、蓋体を楽に介在空間内に押し込むことができる。即ち、もし、弾性部材が蓋体と箱体の内側底面とに接続されて垂直に立った状態であると、蓋体を押し込むに従って例えばバネどうしの間隔が狭くなって押し難くなるが、例えば弾性部材が傾斜して配置されていると、そのような間隔が狭くなる事態を有効に回避できるため、比較的に楽な押し込みが可能となる。しかも、蓋体をより下側まで押し込むことができるので、介在空間内における手の可動範囲が大きくなって、よりシート体を摘み易くなる。
【００１０】
また、好ましくは、前記蓋体は、前記シート収容部の上面の位置に比べて、低く配置されていることを特徴とする。従って、蓋体を押し込む量が少なくてもシート体を摘むことができるため、使用者の操作負担が軽減される。
【００１１】
また、好ましくは、前記蓋体は、前記外側取出口を封止している状態において、前記外側取出口の周囲に対して前記弾性部材の前記付勢力により押し付ける上面と、前記上面から前記外側取出口の形状に対応するように突出して、前記外側取出口の内側に挿入される凸部と、を有することを特徴とする。従って、蓋体は、その上面と外側取出口の周囲とが密着するだけではなく、凸部と外側取出口の内周面とが密着して箱体を有効に密封し、シート体の乾燥や埃の付着等を防止できる。
【００１２】
また、好ましくは、前記蓋体の裏側には、前記外側取出口から取り出す際の前記シート体に引っ掛かる引掛け部が設けられていることを特徴とする。従って、シート体の乾燥や埃の付着等を防止できる。即ち、順次引き出せるように複数枚が折り畳まれたタイプのシート体の最初のシート体を外部に引き抜く際、その最初のシート体に追従する次のシート体については、もし外部取出口の近くまで到達した場合は、蓋体が閉まろうとする際に外部取出口の近くまで到達し、蓋体の縁周辺を通る可能性が高い。そうすると、上記構成では、引掛け部を有するので、この引掛け部に次のシート体を引っ掛けて、次のシート体が外側取出口から外部に飛び出る事態を防止できる。従って、閉蓋状態でシート体が蓋体と外部開口部との間に挟まってしまうこともなく、シート体の乾燥や埃の付着等を防止できる。
【００１３】
また、好ましくは、前記収容空間内には、前記収容空間に前記シート体が収納された状態において、前記シート体を前記内側取出口に向けて押圧する押圧部材が設けられていることを特徴とする。従って、収容空間内にあるシート体の枚数が少なくなった場合であっても、該少量のシート体を押圧部材で押して、シート体が収容空間内で倒れ込む事態を防止し、これにより円滑にシート体を取り出すことができる。
【００１４】
また、好ましくは、前記介在空間内には、薬液を収容した噴霧装置が配置されており、前記噴霧装置は、前記介在空間内に挿入された前記蓋体に押圧されたことを契機として、前記薬液を噴霧するようになっていることを特徴とする。従って、シート体を取り出そうとして蓋体を介在空間内で押すことで噴霧器から薬液が噴霧され、シート体がウエットシートであれば、その乾燥を防止することができる。
【発明の効果】
【００１５】
以上、本発明は、蓋の開閉を容易にすると共に、蓋の閉め忘れを防止することができるシート体収容容器を提供することができる。
【図面の簡単な説明】
【００１６】
【図１】本発明の実施形態に係るシート体収容容器の斜視図であり、シート体を収容しようとしている図。
【図２】図１のシート体収容容器にシート体を収容した状態における図１のＡ−Ａ断面図。
【図３】図２の外部取出口の内周面付近の拡大図。
【図４】図１のシート体収容容器にシート体を収容した状態における図１のＢ−Ｂ断面図。
【図５】図１のシート体収容容器の使用状態図。
【図６】本発明の実施形態の第１変形例に係るシート体収容容器であり、図１のＢ−Ｂ線の位置で切断した場合の端面図。
【図７】本発明の実施形態の第２変形例に係るシート体収容容器であり、図１のＡ−Ａ線の位置で切断した場合の断面図。
【図８】本発明の実施形態の第３変形例に係るシート体収容容器の斜視図。
【図９】図８のＣ−Ｃ断面図。
【図１０】図８のＤ−Ｄ断面図。
【図１１】本発明の実施形態の第４変形例に係るシート体収容容器の平面図。
【図１２】図１１のＥ−Ｅ断面図。
【図１３】第４変形例のシート体収容容器の使用状態図。
【発明を実施するための形態】
【００１７】
以下に、本発明の好ましい実施形態を、図面を参照して詳しく説明する。なお、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。また、以下の図において、同一の符号を付した箇所は同様の構成である。
【００１８】
図１〜図５は本発明の実施形態に係るシート体収容容器（以下、「容器」という）１０である。なお、図２は図１のＡ−Ａ断面図であり、弾性部材３７はこのＡ−Ａ切断面に位置するが、断面を省略している。また、図４は図１のＢ−Ｂ断面図、図５は使用状態図であるが、収容した２つの収納袋１２，１２の内、右側の収納袋１２の断面を省略している。
容器１０は、ウエットタイプのティッシュやナプキン等の複数枚のウエットシート（以下、「ティッシュ」という）ＵＴを収容し、全体を密封することでティッシュに含浸された薬液の蒸発や埃等の付着を防ぐと共に、使用時にティッシュＵＴを容易に取り出すために用いられる。この容器１０はウエットシートに好適に用いることができるが、本発明はこれに限られるものではなく、容器１０に収容されるシート体は乾燥したティッシュ等であっても構わない。
容器１０を説明する前に、容器１０に収容される複数枚のティッシュＵＴについて、図１及び図４を用いて説明する。
【００１９】
複数枚のティッシュＵＴは、容器１０とは別に収納袋１２に収容されている。収納袋１２にはティッシュＵＴを取り出すための厚み方向に貫通した孔である開口部１４が形成されている。開口部１４は、ティッシュＵＴを１枚ずつ取り出せるようにした小孔である。この小孔は、使用前は図示しないシールを貼着することで塞がれているか、或いは、使用時にミシン目等の破断線を切り取って形成される。このように使用時に開口部１４を露出又は形成することで、使用前の流通時等にシートに含浸された薬液の液体成分の蒸発を防止している。図の開口部１４の形状は、上記実施形態に限られず、例えば略四角形状や十字状でもよく、また、１枚ずつ取り出せる小孔でなくてもよい。
【００２０】
収納袋１２は、アルミニウム、ポリエチレンラミネートフィルム等の気密性を有するフィルム素材からなり、全体的に軟質性ないし可撓性を有している。図の収納袋１２は、主面１２Ａに開口部１４を有している。収納袋１２は、保管性や持ち運び性を考慮して、全体的に軟質性を有する袋状であるが、所定の剛性を有していても構わない。そして、本実施形態の場合、ティッシュＵＴは、収納袋１２から取り出されることなく、収納袋１２に入れられたまま容器１０に収容される。
【００２１】
この収納袋１２に収容される複数枚のティッシュＵＴは、清拭等のための薬液を染み込ませたシート状の紙または不織布を複数枚積層したものであって、図４に示されるように、使用単位枚数ＵＴ１〜ＵＴ３毎に順次引き出せるように折り畳まれている。例えば使用単位枚数ＵＴ１，ＵＴ２，ＵＴ３が、順次その一部が互いの間に入って重なるように折り返されて収納されている。これによって、使用者は、最初のティッシュＵＴ１を引き出すと、次のティッシュＵＴ２の最初のティッシュＵＴ１と重なっている部分ＵＴａまでが開口部１４を介して、後述する内側取出口３３から引き出され、続いて、基本的には、開口部１４と部分ＵＴａとの接触によって、最初のティッシュＵＴ１と次のティッシュＵＴ２が分離し、ティッシュＵＴ２は頭だけが開口部１４から飛び出して残った状態となる。なお、図では３つの使用単位枚数ＵＴ１，ＵＴ２，ＵＴ３のみを図示しているが、収容袋１２に収容されるティッシュＵＴの使用単位枚数はこれに限られず、また、ティッシュＵＴの折り方も図示される折り方に限られず、公知の折り方を使用できる。
【００２２】
次に、このようなティッシュＵＴを収容して使用される容器１０について、説明する。
図１に示すように、容器１０は全体が箱体とされている。図の箱体は略矩形状であるが、本発明はこれに限られるものではなく、球状や六角柱などの他の形状であっても構わない。
容器１０は、少なくとも収納袋１２に比べて硬度が高く、かつ、ティッシュＵＴに含浸した薬液に耐えて使用可能なプラスチック材料（例えばポリプロピレン、ＡＢＳ樹脂）で形成されている。
この容器１０は、ティッシュＵＴを収容するシート収容部４５を有している。シート収容部４５はその内側に、ティッシュＵＴを収納袋１２に収納したまま収容可能な収容空間Ｓ１を有している。
本実施形態のシート収容部４５は２箇所にあり、これにより、一方の収容空間Ｓ１内のティッシュＵＴを使用し終えた後、直ぐに、他方の収容空間Ｓ１内のティッシュＵＴを使用できる。シート収容部４５は、開閉自在な蓋１６を長手方向（折り畳まれたティッシュＵＴの長手方向）Ｘの側面に有し、蓋１６を開けることで収納袋１２を収容空間Ｓ１内に収容でき、蓋１６を閉めることで収容空間Ｓ１を封止できる。このような収容空間Ｓ１の閉蓋状態を維持する構成として、マグネット等を利用することができる。
ここで、収納袋１２を収容空間Ｓ１に挿入する際は、収納袋１２を寝かさずに、図１のように立てて、開口部１４が横（図の場合、Ｙ方向）を向くようにして収容空間Ｓ１に挿入する。このように開口部１４を横に向かせて挿入するのは、容器１０内においてティッシュＵＴを横から取り出すためである。
【００２３】
図４および図５に示すように、容器１０は、シート収容部４５の収容空間Ｓ１からティッシュＵＴを取り出すために、容器（箱体）１０の内側に形成された内側取出口３３を有している。内側取出口３３は、収容空間Ｓ１と後述する介在空間Ｓ２とを連通するための通路であり、本実施形態では横向きの開口（水平方向であり図のＹ方向に向かった開口）とされている。したがって、既述したとおりに開口部１４を横に向かせて収納袋１４を収容空間Ｓ１に挿入することで、横向きの内側取出口３３に開口部１４が重なって配置され、そして、収納袋１２内のティッシュＵＴは、開口部１４を介して内側取出口３３から取り出されることになる。
【００２４】
また、容器１０は、内側取出口３３から取り出されたティッシュＵＴを、介在空間Ｓ２を介して外部に引き抜くために、箱体の外壁（図の場合は上面）１０Ａに外側取出口３５を有する。介在空間Ｓ２は、横を向いた内側取出口３３と下を向いた外側取出口３５との間に介在し、外側取出口３５の直下に配置される空間であり、手指が挿入可能な空間である。
そして、収容空間Ｓ１と内側取出口３３と介在空間Ｓ２とは横並びに配置（水平に配列）され、内側取出口３３は介在空間Ｓ２に臨んで開口している。
【００２５】
容器１０は以上の構成であるため、使用者は、外側取出口３５から介在空間Ｓ２内に手指を入れ、介在空間Ｓ２の横にある内側取出口３３から出たティッシュＵＴを摘まんで、それを介在空間Ｓ２、及び、外側取出口３５を通して引き抜くことができる。
このような引き抜きを可能とするために、既述した通り、図１のように収納袋１２は、開口部１４が内側取出口３３を介して介在空間Ｓ２を臨むように立てられて、収容空間Ｓ１に収容される。この収容の際、図１の収納袋１２の開口部１４がある主面１２Ａに、別部材である板部材２０をあてがい、板部材２０の貫通孔２２からティッシュＵＴの頭ＵＴｂだけを出した後、収容空間Ｓ１に入れるのが好ましい。
【００２６】
板部材２０は、図２及び図４に示すように、内側取出口３３の開口面積を開口部１４の開口面積より大きくしたとしても、開口部１４の形状を維持して、ティッシュＵＴの所謂ズル（図４の最初のティッシュＵＴ１を引き抜いた際に、次のティッシュＵＴ２も追従して引き抜かれてしまう状態）を防止するための部材である。即ち、開口部１４はズルを防止する小孔であり、もし、この小孔と内側取出口３３との大きさ及び形状を同じに、かつ、互いの位置を一致させれば、ティッシュＵＴを取り出す際、内側取出口３３の硬い周辺部で開口部１４を押えて、開口部１４の形状を維持し、これによりティッシュＵＴを開口部１４に引っかかり易くしてズルをより有効に防止できる。しかし、開口部１４と内側取出口３３の位置を完全に一致させるように収納袋１２を収容空間Ｓ１に入れるのは困難であり、もし内側取出口３３も開口部１４と同様の小孔にすると、却って、内側取出口３３からティッシュＵＴを取り出せなくなる恐れがある。このため、内側取出口３３の開口面積は開口部１４に比べて大きいのが好ましく、本実施形態ではそのように構成している。そして、軟質性ないし可撓性を有する収納袋１２の開口部１４の形状を維持させてズルをより有効に防止することについては、容器１０とは別の板部材２０により達成させている。具体的には、図１に示すように、収納袋１２を収容空間Ｓ１に入れる前に、開口部１４の周囲に硬い板部材２０を予めあてがって、ティッシュＵＴの頭ＵＴｂを板部材２０の貫通孔２２から出し、その後、収納袋１２を収容空間Ｓ１に入れることで、内側取出口３３の開口面積を開口部１４よりも大きくしたとしても、開口部１４及びその周囲の形状を維持できるようにしている。このため板部材２０は、少なくとも収納袋１２に比べて硬度が高く、好ましくは、ティッシュＵＴに含浸した薬液に耐えて使用可能なプラスチック材料で薄板状に形成されている。そして、中央領域に厚み方向に貫通した貫通孔２２を有している。貫通孔２２は開口部１４の位置に配置され、開口部１４から引き出すティッシュＵＴが通る孔であり、上記ズルを防止可能な形状とされている。本実施形態の貫通孔２２は小孔であり、収納袋１２の開口部１４と同様の大きさとされているが、貫通孔２２は内側取出口３３より小さければ、これに限られない。即ち、開口面積について言えば、開口部１４≦貫通孔２２＜内側取出口３３が好ましい。
【００２７】
ここで、容器１０の上面１０Ａにある外側取出口３５は、ティッシュＵＴが乾燥しないように、蓋体２６で封止されている。蓋体２６には弾性部材３７が接続され、弾性部材３７の付勢力で外側取出口３５を下から押して封止している。図２〜図５に示すように、弾性部材３７にはコイルバネが利用されているが、本発明はこれに限られず、例えば引きバネ、板バネ、或いはゴムであっても構わない。
そして、蓋体２６は、弾性部材３７の付勢力に抗して上から押すだけで介在空間Ｓ２内に挿入可能であり、介在空間Ｓ２内を上下自在とされている。少なくとも、蓋体２６は内側取出口３３を介して介在空間Ｓ２内に露出した開口部１４よりも下側に押し込めるようになっている。このため、図５に示すように、手指で蓋体２６を上から押して、蓋体２６を介在空間Ｓ２内に挿入することで、内側取出口３３と外部（容器１０の外側の空間）との連通が可能となる（即ち、蓋体２６を押すことで、内側取出口３３が介在空間Ｓ２及び外側取出口３５を介して外部に露出可能となる）。なお、図２及び図５に示すように弾性部材３７は、蓋体２６を内側取出口３３よりも下方に押し込める構成としているが、本発明は、収納袋１２の開口部１４が容器１０の外部と挿通すれば、図のような構成に限られるものではなく、内側取出口３３の一部だけが露出するように、内側取出口３３の垂直方向Ｚの途中まで蓋体２６を押し込めるようにしても構わない（それも内側取出口３３と外部とが挿通する構成の一つである）。
【００２８】
以上のようにして、ティッシュＵＴを取り出そうとする使用者は、蓋体２６を押して介在空間Ｓ２に手指を入れ、開口部１４から貫通孔２２及び内側取出口３３を通じて出たティッシュＵＴを摘まんで、そのまま外側取出口３５から引き抜くことができる。そして、ティッシュＵＴを引き抜けば蓋体２６への手指による押圧状態も解除されるので、弾性部材３７の付勢力で蓋体２６は自動に閉まる。このため、使用者は単にティッシュＵＴを取るという動作をするだけで済み、蓋体２６を意図的に閉めるという操作が不要となるため、非常に楽に蓋体２６を閉めて、ティッシュＵＴの乾燥を防止することができる。
【００２９】
容器１０は以上の特徴を有しているが、本実施形態では更に次の特徴も有している。
〔外側取出口と介在空間の大きさについて〕
外側取出口３５は、使用者の拳が挿入可能であり、拳の挿入時に拳を傷つけることの無い形状とするのが好ましく、本実施形態では、図１に示すように、さらに指を伸ばした手（手の平と指）ＨＤを水平にして挿入可能な面積と角部の無い丸みを帯びた形状を有している。なお、外側取出口３５は折り畳まれたティッシュＵＴの長手方向Ｘに沿って長く形成され、外側取出口３５に挿入される手ＨＤの長手方向とティッシュＵＴの長手方向Ｘとが一致している。
また、介在空間Ｓ２については、使用者の指を伸ばした手（手の平と指）ＨＤを水平に収容可能な形状とするのが好ましく、本実施形態では、さらに指を広げた手ＨＤが収容可能とされている。
従って、使用者は、外側取出口３５の大きさを左程気にすることなく、介在空間Ｓ２に躊躇なく手を入れて、容易にティッシュＵＴの先端を摘まんで、それを容器１０から取り出すことができる。
【００３０】
〔弾性部材について〕
図２に示すように、弾性部材３７は２本であるが、左側の弾性部材３７−１と右側の弾性部材３７−２とは配置が対称であるだけで、自身の構成は同じである。各弾性部材３７は、一端部３７Ａが蓋体２６に接続され、他端部３７Ｂが箱体の内側底面１０Ｂ以外の領域に接続されることで、垂直方向Ｚに対して傾斜している。具体的には、弾性部材３７は、外側取出口３５の周囲１９を押さえつける蓋体２６の下面部分（後述する両端部２６Ａ，２６Ｂの下面）に一端部３７Ａが接続され、そこから容器１０の内側側面（内側取出口３３がない側面）１０Ｃに向って斜めに配置されている。図２の場合、弾性部材３７の他端部３７Ｂは、介在空間Ｓ２に突出した突出部２９に接続されている。図の突出部２９は、内側側面１０Ｃから突出しているが、内側底面１０Ｂから上方に向って突出した構成にしてもよい。
【００３１】
突出部２９は、弾性部材３７を短くするものであり、平面視において一端部３７Ａとは重ならないように形成されている。また、弾性部材３７は比較的曲り易いコイルバネを利用している。従って、蓋体２６を上から押圧して開口部１４よりも下方に位置させると、弾性部材３７は図２のように曲がって、蓋体２６を容易に介在空間Ｓ２内に押し込むことができる。もし、弾性部材３７が垂直方向Ｚに沿って配置されて立った状態であると、蓋体２６を押し込むに従ってコイル間隔が狭くなり、除々に押し難くなる。しかし、本実施形態では、上述のように弾性部材３７が傾斜しているので、そのような事態を有効に回避できる。しかも、蓋体２６を介在空間Ｓ２のより下側まで押し込めるので、介在空間Ｓ２内における手の可動範囲が広がって、よりティッシュを摘み易くなる。
なお、本発明はこのような構成に限られず、例えば弾性部材３７の他端部３７Ｂを内側側面１０Ｃの上部に接続して、概ね水平に配置してもよい。しかし、弾性部材３７を概ね水平にすると、蓋体２６を上に向って押す力が弱まり、外側取出口３５の密封性が弱まる。また、蓋体２６を下に押し込むに従って大きい押圧力が必要になり、押し込み難くなる。このため、弾性部材３７の他端部３７Ｂは、内側側面１０Ｃの垂直方向Ｚの中程（図の場合は、内側取出口３３の若干下側）に接続している。
【００３２】
また、図２に示すように、弾性部材３７は、少なくとも介在空間Ｓ２に露出する収納袋の開口部１４の前方（本実施形態の場合は内側取出口３３の前方）には配置されず、蓋体２６の開閉機能に支障をきたさない範囲において、可及的に内側取出口３３から離間して配置されている。具体的には、図１及び図２に示すように、弾性部材３７の一端部３７Ａは、蓋体２６のティッシュＵＴの長手方向Ｘの両端部２６Ａ，２６Ｂに接続されている。弾性部材３７の他端部３７Ｂは内側取出口３３が形成されていない内側側面１０Ｃ（内側側面１０Ｃから突出した突出部２９も含む）に接続されている。従って、弾性部材３７は、内側取出口３３を介して開口部１４からティッシュＵＴを取り出す際に邪魔になることはない。
さらに、図５に示すように蓋体２６を介在空間Ｓ２に押し入れた際、蓋体２６は内側取出口３３に向って傾斜可能とされている。即ち、弾性部材３７を軸にした回動が可能となり、図の場合、蓋体２６の短手方向Ｙの一端部２６Ｃが内側取出口３３より下方に位置する場合に、他端部２６Ｄが内側取出口３３、或いは、それより上方に位置することが可能なように傾斜する。このため、弾性部材３７を余り押すことなく、開口部１４からティッシュＵＴを取り出すことができる。
弾性部材３７は蓋体２６の安定性を考慮して複数本設けるのが好ましく、本実施形態の場合、図１に示すように２本であり、蓋体２６の長手方向Ｘの両端部２６Ａ，２６Ｂの夫々に1本ずつ接続されている。なお、本発明はこれに限られず、弾性部材３７は３本以上であっても構わない。
【００３３】
〔蓋体について〕
図２及び図３に示すように、蓋体２６は、外側取出口３５の周囲１９の下面１９Ａを下から押さえて封止している状態において、下面１９Ａに対して弾性部材３７の付勢力で押さえ付ける上面２６Ｅを有している。従って、この上面２６Ｅと周囲１９の下面１９Ａとを密着させて、ティッシュの乾燥を防止できる。
また、蓋体２６は、この上面２６Ｅから外側取出口３５の開口形状に対応するように突出して、外側取出口３５の内側に挿入される凸部３９を有している。従って、この凸部３９と外側取出口３５の内周面３５Ａとを密着させて、ティッシュの乾燥を防止できる。
本実施形態の場合、外側取出口３５は、下側（介在空間Ｓ２側）に向うに従って除々にその開口面積が大きくなるように内周面３５Ａが傾斜している。そして、蓋体２６の凸部３９は、上側（外部側）に向うに従って除々に窄まるように形成されている。従って、ティッシュを取り出して蓋体２６への押圧を解除した際、弾性部材３７の付勢力により、蓋体２６の凸部３９を外側取出口３５の内周面３５Ａに自動で密着し易くすることができる。
【００３４】
本発明の実施形態に係る容器１０は以上のように構成されており、このため、拳の状態や手を広げた状態などで蓋体２６を上から躊躇なく押して、外側取出口３５を介して介在空間Ｓ２の中に手を挿入し、そして、介在空間Ｓ２に露出した内側取出口３３を介して開口部１４から突出したティッシュＵＴを摘み、そのまま外側取出口３５を通して引き抜くことができる。従って、使用者は蓋体２６を操作する感覚はなく、単にティッシュＵＴを引き抜くという操作だけで、ティッシュＵＴを取り出すことができ、しかも、取り出した後も、蓋体２６は自動で閉まるので、使用者は何の操作もせずに、ティッシュＵＴの乾燥を防止できる。
なお、躊躇なく蓋体２６を押すためには、外側取出口３５の開口面積は大きい程好ましいが、大き過ぎると、外側取出口３５と蓋体２６との隙間からティッシュＵＴの薬液が蒸発する恐れが高まる。従って、外側取出口３５は、使用者の拳以上であって、使用者の指を広げた手（手の平と指）が水平に挿入可能な開口面積以下であることが好ましい。
【００３５】
〔第１変形例〕
次に、上述した実施形態の第１変形例に係る容器４０を図６を用いて説明する。図６は図１のＢ−Ｂ線の位置で切断した場合の端面図であり、切断した奥の形状は図示されていない。なお、図６ではティッシュをを収容していない状態を図示している。
図６の容器４０が図１〜図５の容器１０と異なるのは、収容空間Ｓ１の数と固定手段４２の有無である。すなわち、容器４０の場合、ティッシュを収納可能な収容空間Ｓ１は一つのみで、収納空間Ｓ１と介在空間Ｓ２が横並びになっている。従って、介在空間Ｓ２が２つの収容空間Ｓ１に挟まれている図５では、いずれの収容空間Ｓ１にティッシュが入っているかの判断が必要となるが、第１変形例ではそのような判断は不要となる。
なお、本発明の収容空間Ｓ１は、介在空間Ｓ２と挿通するように介在空間Ｓ２と横並びであれば、いくつでも構わず、図１や図６のようにＹ方向に並べられるだけではなく、例えば図１のＸ方向に並べられても構わない。そして、図１のように、収容空間Ｓ１が複数ある場合は、介在空間Ｓ２の上方にある本容器の上面１０Ａ及び／又は蓋体２６を透明にして、介在空間Ｓ２内の様子を視認できるようにしてもよい。
また、図６の容器４０は、これを載置台に固定するための固定手段４２が設けられている。図の固定手段４２は、容器底部１０Ｄに接続された吸盤であるが、マグネットでも構わない。この固定手段４２は着脱自在であるのが好ましい。
【００３６】
〔第２変形例〕
次に、上述した実施形態の第２変形例に係る容器５０を図７を用いて説明する。図７は図１のＡ−Ａ線の位置で切断した場合の断面図である。なお、弾性部材５２はこの切断面に位置するが、断面を省略している。
図７の容器５０が図１〜図５の容器１０と異なるのは、弾性部材５２の構成と、外側取出口３５の封止構造のみである。すなわち、容器５０の弾性部材５２は垂直に立った状態とされている。このため、図１〜図５で説明した「蓋体の押圧の容易性」「手の可動範囲の大きさ」という効果は得られないものの、蓋体２６をより確実に外側取出口３５の周囲１９に押し付けることはでき、容器５０の密封性を高めることができる。
図７の弾性部材５２は図２と同様にコイルバネであり、蓋体２６の両端部２６Ａ，２６Ｂの夫々と内側底面１０Ｂとを結ぶ２本とされているが、本発明はこれに限られず、例えば、蓋体２６の中央部と内側底面１０Ｂとを結ぶ１本のコイルバネであっても構わない。
また、本変形例では、外側取出口３５の周囲１９の下面と蓋体２６の上面との間に、パッキング材５４を設けることで、容器５０の密封性を高めている。
【００３７】
〔第３変形例〕
次に、上述した実施形態の第３変形例に係る容器６０を図８〜図１０を用いて説明する。図８は該第３変形例に係る容器６０の斜視図、図９は図８のＣ−Ｃ断面図、図１０は図８のＤ−Ｄ断面図である。なお、図９における弾性部材３７は切断面に位置するが、断面を省略している。また、図１０では収容したティッシュを省略して図示している。
これらの図の容器６０が図１〜図５の容器１０と異なるのは、蓋体２６の位置、蓋体２６の裏側の構成、及び収容空間Ｓ１内の構成である。
【００３８】
即ち、蓋体２６は、収容空間Ｓ１を有するシート収容部４５の上面４５Ａの位置に比べて低く配置され、図９に示すように、蓋体２６の位置が上面４５Ａに比べて高さＨ１分だけ下がっている。このため、蓋体２６と内側取出口３３及びそこから露出する開口部１４との距離が短くなって、弾性部材３７を図２に比べて短くすることができる。そして、ティッシュを取り出すための蓋体２６の押し込み量Ｈ２が小さくなり、使用者の操作負担を軽減することができる。
【００３９】
また、本変形例では、蓋体２６の裏側には、図１０に示すように、蓋体２６の縁周辺２６Ｅに先端６４Ａが配置されることで、外側取出口３５から取り出す際のティッシュに引っ掛かる部材である引掛け部６４が設けられている。引掛け部６４は、ティッシュＵＴの所謂ズルを防止するための部材である。即ち、取り出そうとする最初のティッシュＵＴ１に追従する次のティッシュＵＴ２については、通常は、収納袋１２の開口部１４や板部材２０の貫通孔２２の作用によりズルが防止される。しかし、もし次のティッシュＵＴ２が上手く最初のティッシュＵＴ１と分離しない場合、蓋体２６が閉まろうとする際に外部開口部３５の近くまで到達するため、蓋体２６の縁周辺２６Ｅを通る可能性が高い。この点、本変形例では、縁周辺２６Ｅに先端６４Ａが配置された引掛け部６４を有するため、次のティッシュＵＴ２がこの引掛け部６４に引っ掛かり、最初のティッシュＵＴ１は使用者の力で引き抜かれるが、次のティッシュＵＴ２は最初のティッシュＵＴ１から分離して、介在空間Ｓ２内に残すことができる。従って、閉蓋状態で次のティッシュＵＴ２が蓋体２６と外部開口部３５との間に挟まってしまうこともなく、ティッシュＵＴの乾燥を防止できる。
なお、引掛け部６４は厚みは大きくても構わないが、本変形例の場合は板状体とされ、先端のエッジを効かせてティッシュＵＴとの引っ掛かりを良くしている。また、引掛け部６４は、蓋体２６の内側取出口３３に最も近い端部２６Ａ，２６Ｂに設けられ、その先端６４Ａは蓋体２６の裏面から少し距離Ｄが置かれている。
【００４０】
また、本変形例では、収容空間Ｓ１内には、ティッシュ（図の場合は収納袋１２）を内側取出口３３に向けて押圧する押圧部材６８が設けられている。押圧部材６８はティッシュをその厚み方向（複数枚のティッシュの積層方向）に押して、収容空間Ｓ１内でティッシュが倒れないようにするためのもので、図１０の場合、内側取出口３３に向けて付勢力を発揮するコイルバネで構成され、その先端に設置された板材５７によりティッシュを面状に押圧可能としている。従って、収容空間Ｓ１内にあるティッシュの枚数が少なくなってきた場合であっても、該少量のティッシュを付勢力で押して倒れ込みを防止し、これにより円滑にティッシュを内側取出口３３から取り出すことができる。
なお、本変形例ではコイルバネを用いているが、これに限らず、例えば板ばね、或いはスポンジ等の弾力性のある部材であってもよい。スポンジの場合は、そこに薬液を含浸させて、収容空間Ｓ１内の湿気を維持するようにしてもよい。
【００４１】
〔第４形例〕
次に、上述した実施形態の第４変形例に係る容器７０を図１１〜図１３を用いて説明する。図１１は該第４変形例に係る容器７０の平面図、図１２は図１１のＥ−Ｅ断面図、図１３は第４変形例の容器７０の使用状態図である。なお、図１１及び図１２はティッシュを収容していない状態であり、図１３では弾性部材を省略して図示している。また、図１３の一点鎖線で囲った図は、蓋体２６の端部付近の拡大断面図である。
【００４２】
これらの図の容器７０が図１〜図５の容器１０と主に異なるのは、噴霧装置７２が設けられている点である。即ち、容器７０の介在空間Ｓ２内には、薬液を収容した噴霧装置７２が設けられている。
噴霧装置７２は、介在空間Ｓ２に薬液を噴霧するためのもので、薬液は、ティッシュに含浸された薬液と同じものが好ましい。この噴霧装置７２は、介在空間Ｓ２に押し込まれた蓋体２６に押圧されたことを契機として、薬液を噴霧する装置である。
具体的には、噴霧装置７２は、内側取出口３３よりも下側に配置され、押圧されると薬液を噴霧するノズルヘッド７４を有する公知のポンプディスペンサーを利用できる。即ち、図１３に示すように、介在空間Ｓ２内に押し込まれた蓋体２６がノズルヘッド７４を押圧するとステム７９が押し下げられ、図示しないピストンが下降して、内部の薬液が加圧される。そうすると、薬液はステム７９を通じてノズルヘッド７４へ送られ、ノズルヘッド７４の上部に設けられた孔７６から吐出される。なお、ノズルヘッド７４への押圧を解除すると、バネ７８の付勢により押し下げられたノズルヘッド７４は上昇して元に戻る。
【００４３】
本変形例の場合、蓋体２６のノズルヘッド７４を押圧する押圧部２６Ｆに貫通孔１７が形成されており、この貫通孔１７はノズルヘッド７４の孔７６と押圧時に重なるように形成されている。換言すれば、図１１に示すように、平面視において貫通孔１７と孔７６とが重なっている。このため、蓋体２６でノズルヘッド７４を押圧し、薬液を貫通孔１７を通じて押し込まれた蓋体２６よりも上側（内側取出口３３側）の空間に噴霧することができる。
また、貫通孔１７は、蓋体２６が外側取出口３５を封止している状態において、蓋体２６の外部に露出しない領域（外側取出口３５よりも外側の領域）に形成されている。従って、図１１及び図１２に示す閉蓋状態において、貫通孔１７は外側取出口３５から外部に露出しないため、容器７０内の湿気を維持できる。
【００４４】
更に、本変形例の場合、噴霧装置７２、蓋体２６のノズルヘッド７４を押圧する押圧部２６Ｆ（貫通孔１７を含む）は、内側取出口３３のある内壁７０Ａに沿うようにして、内壁７０Ａの近傍に配置されている。これにより、薬液が内側取出口３３付近に噴霧され、取り出す際のティッシュに付着し易いようにしている。
【００４５】
ところで本発明は上記実施の形態に限定されるものではなく、上述の実施形態及び各変形例の個別の構成は、必要により省略したり、説明しない他の構成と組み合わせたりしてもよい。
例えば、上記実施形態では、収納袋１２に板部材２０を付けてから、収容空間Ｓ１内に収容するようにしているが、板部材２０は必ずしも必要ではない。
また、上記実施形態では、内側取出口３３は横向きの開口であるが、本発明はこれに限られず、内側取出口３３の開口は例えば斜め上を向いても構わない。
また、上記実施形態及び変形例の蓋体２６は上からの押圧により、例えば図５のように傾斜はするものの、内側底面１０Ｂに向って全体が下降するようになっている。しかし、本発明の蓋体はこれに限られず、外側取出口３５の周辺にねじりコイルバネを接続し、ねじりコイルバネを軸にして、蓋体を上からの手指の押圧によって回動させて、介在空間Ｓ２内に挿入するようにしてもよい。このような回動動作によっても内側取出口３３と外部とを連通することができ、また、蓋体の押圧を解除すれば、ねじりコイルバネにより蓋体を元に戻して外側取出口３５を封止できる。
【符号の説明】
【００４６】
１０，４０，５０，６０，７０・・・ウエットシート収容容器、１２・・・収納袋、１４・・・収納袋の開口部、２６・・・蓋体、３３・・・内側取出口、３５・・・外側取出口、３７，５２・・・弾性部材、３９・・・凸部、４５・・・シート収容部、６４・・・引掛け部、Ｓ１・・・収容空間、Ｓ２・・・介在空間、ＵＴ・・・ウエットシート
【図１】
2019085139.tif 000003
【図２】
2019085139.tif 000004
【図３】
2019085139.tif 000005
【図４】
2019085139.tif 000006
【図５】
2019085139.tif 000007
【図６】
2019085139.tif 000008
【図７】
2019085139.tif 000009
【図８】
2019085139.tif 000010
【図９】
2019085139.tif 000011
【図１０】
2019085139.tif 000012
【図１１】
2019085139.tif 000013
【図１２】
2019085139.tif 000014
【図１３】
2019085139.tif 000015